(57)【要約】【課題】二連型ＬＣコネクタに対応し、二つの光伝送路を構成することができ、しかも漏洩光を高感度で検知することが可能な二連型ＬＣ用通信光検知用アダプタを提供する。【解決手段】平行に配置された二つの光伝送路１０１，１０２を構成すると共に、横断面で二つの光伝送路１０１，１０２の中心Ｃ，Ｄを相互に結ぶ線分ＣＤを底辺とする二等辺三角形ＣＤＥの頂点Ｅに位置すると共に線分ＣＤに対して垂直方向１０３に開口して形成された光取出孔１０４を有するアダプタ本体１０５と、アダプタ本体１０５と一体的に形成されると共に二連型ＬＣコネクタのフェルール１０６が収容されるスリーブ１０７を保持するスリーブホルダ１０８と、を備え、スリーブホルダ１０８は、横断面で線分ＣＤを基準として光取出孔１０４に向かって３０度超１２０度未満の範囲θに亘って開口して形成された開口部１１０を有する二連型ＬＣ用通信光検知用アダプタ１００である。【選択図】図２
2015200706.tif 000002
【特許請求の範囲】
【請求項１】
二連型ＬＣコネクタが嵌挿されたときに平行に配置された二つの光伝送路を構成すると共に、横断面で前記二つの光伝送路の中心を相互に結ぶ線分を底辺とする二等辺三角形の頂点に位置すると共に前記線分に対して垂直方向に開口して形成された光取出孔を有するアダプタ本体と、
前記アダプタ本体と一体的に形成されると共に前記二連型ＬＣコネクタのフェルールが収容されるスリーブを保持するスリーブホルダと、
を備え、
前記スリーブホルダは、横断面で前記線分を基準として前記光取出孔に向かって３０度超１２０度未満の範囲に亘って開口して形成された開口部を有することを特徴とする二連型ＬＣ用通信光検知用アダプタ。
【請求項２】
前記スリーブホルダは、内面に形成された光反射層を有する請求項１に記載の二連型ＬＣ用通信光検知用アダプタ。
【請求項３】
前記スリーブホルダは、前記スリーブの抜けを防止する爪部を有する請求項１又は２に記載の二連型ＬＣ用通信光検知用アダプタ。
【請求項４】
二連型ＬＣ用通信光検知用アダプタと、
前記二連型ＬＣ用通信光検知用アダプタに着脱自在に取り付けられる通信光検知器と、
を備え、
前記二連型ＬＣ用通信光検知用アダプタは、二連型ＬＣコネクタが嵌挿されたときに平行に配置された二つの光伝送路を構成すると共に、横断面で前記二つの光伝送路の中心を相互に結ぶ線分を底辺とする二等辺三角形の頂点に位置すると共に前記線分に対して垂直方向に開口して形成された光取出孔を有するアダプタ本体と、前記アダプタ本体と一体的に形成されると共に前記二連型ＬＣコネクタのフェルールが収容されるスリーブを保持するスリーブホルダと、を有し、前記スリーブホルダは、横断面で前記線分を基準として前記光取出孔に向かって３０度超１２０度未満の範囲に亘って開口して形成された開口部を有し、
前記通信光検知器は、前記光取出孔に収容される受光素子が搭載された検知器本体を有することを特徴とする二連型ＬＣ用通信光検知構造。
【請求項５】
前記受光素子は、受光方向に開口された缶体と、前記缶体に収容された受光部と、を有する缶型フォトダイオードからなる請求項４に記載の二連型ＬＣ用通信光検知構造。
【請求項６】
前記受光部は、前記線分との距離が２．８ｍｍ以上３．２ｍｍ以下となる位置に配置される請求項４又は５に記載の二連型ＬＣ用通信光検知構造。
【請求項７】
前記缶体は、内面に形成された光反射層を有する請求項４から６の何れか一項に記載の二連型ＬＣ用通信光検知構造。
【発明の詳細な説明】
【技術分野】
【０００１】
本発明は、通信光を検知して光伝送路の使用／不使用の状態を目視で確認するための二連型ＬＣ用通信光検知用アダプタ及び二連型ＬＣ用通信光検知構造に関する。
【背景技術】
【０００２】
光通信関連設備では、光伝送路の健全性を監視したり、人為的な通信用光コネクタの誤抜を防止したりすべく、不可視光領域にある通信光を検知して光伝送路の使用／不使用の状態（以下、通信状態という）を確認するための通信光検知技術が使用されている。
【０００３】
この通信光検知技術を具現化したものとしては、光伝送路で伝送されている通信光の一部を漏洩光として取り出し、その漏洩光を受光素子で受光することにより、光伝送路で通信光が伝送されているか否かを検知し、人間が目視で確認することができる形態で光伝送路の通信状態を出力する通信光検知構造が知られている（例えば、特許文献１から特許文献４を参照）。
【０００４】
通信光検知構造は、受光素子が搭載された検知器本体を有する通信光検知器と、漏洩光を受光素子に向けて取り出す光取出孔が形成されたアダプタ本体を有する通信光検知用アダプタと、を備えている。
【０００５】
一般的に、通信用光コネクタには一芯一対の一連型ＳＣ（Simplex SC；ＳＳＣ）コネクタが使用されているため、それに対応する通信光検知用アダプタとしては、一連型ＳＣ用通信光検知用アダプタが使用されている。
【先行技術文献】
【特許文献】
【０００６】
【特許文献１】特開２００９−１４５６７６号公報
【特許文献２】特開２０１０−２３１０８２号公報
【特許文献３】特開２０１１−０１３３５９号公報
【特許文献４】特開２０１１−０１３３６０号公報
【特許文献５】特開２０１３−２２８６７８号公報
【発明の概要】
【発明が解決しようとする課題】
【０００７】
しかしながら、一連型ＳＣ用通信光検知用アダプタでは、近年の情報容量の増大に伴うアダプタの高密度実装には不向きであることから、二芯一対の二連型ＬＣ（Duplex LC；ＤＬＣ）コネクタに対応し、一つのアダプタで二つの光伝送路を構成することができる二連型ＬＣ用通信光検知用アダプタの登場が待たれている。
【０００８】
そこで、本発明の目的は、二連型ＬＣコネクタに対応し、二つの光伝送路を構成することができ、しかも漏洩光を高感度で検知することが可能な二連型ＬＣ用通信光検知用アダプタ及び二連型ＬＣ用通信光検知構造を提供することにある。
【課題を解決するための手段】
【０００９】
この目的を達成するために創案された本発明は、二連型ＬＣコネクタが嵌挿されたときに平行に配置された二つの光伝送路を構成すると共に、横断面で前記二つの光伝送路の中心を相互に結ぶ線分を底辺とする二等辺三角形の頂点に位置すると共に前記線分に対して垂直方向に開口して形成された光取出孔を有するアダプタ本体と、前記アダプタ本体と一体的に形成されると共に前記二連型ＬＣコネクタのフェルールが収容されるスリーブを保持するスリーブホルダと、を備え、前記スリーブホルダは、横断面で前記線分を基準として前記光取出孔に向かって３０度超１２０度未満の範囲に亘って開口して形成された開口部を有する二連型ＬＣ用通信光検知用アダプタである。
【００１０】
前記スリーブホルダは、内面に形成された光反射層を有すると良い。
【００１１】
前記スリーブホルダは、前記スリーブの抜けを防止する爪部を有すると良い。
【００１２】
また、本発明は、二連型ＬＣ用通信光検知用アダプタと、前記二連型ＬＣ用通信光検知用アダプタに着脱自在に取り付けられる通信光検知器と、を備え、前記二連型ＬＣ用通信光検知用アダプタは、二連型ＬＣコネクタが嵌挿されたときに平行に配置された二つの光伝送路を構成すると共に、横断面で前記二つの光伝送路の中心を相互に結ぶ線分を底辺とする二等辺三角形の頂点に位置すると共に前記線分に対して垂直方向に開口して形成された光取出孔を有するアダプタ本体と、前記アダプタ本体と一体的に形成されると共に前記二連型ＬＣコネクタのフェルールが収容されるスリーブを保持するスリーブホルダと、を有し、前記スリーブホルダは、横断面で前記線分を基準として前記光取出孔に向かって３０度超１２０度未満の範囲に亘って開口して形成された開口部を有し、前記通信光検知器は、前記光取出孔に収容される受光素子が搭載された検知器本体を有する二連型ＬＣ用通信光検知構造である。
【００１３】
前記受光素子は、受光方向に開口された缶体と、前記缶体に収容された受光部と、を有する缶型フォトダイオードからなると良い。
【００１４】
前記受光部は、前記線分との距離が２．８ｍｍ以上３．２ｍｍ以下となる位置に配置されると良い。
【００１５】
前記缶体は、内面に形成された光反射層を有すると良い。
【発明の効果】
【００１６】
本発明によれば、二連型ＬＣコネクタに対応し、二つの光伝送路を構成することができ、しかも漏洩光を高感度で検知することが可能な二連型ＬＣ用通信光検知用アダプタ及び二連型ＬＣ用通信光検知構造を提供することができる。
【図面の簡単な説明】
【００１７】
【図１】本発明に係る二連型ＬＣ用通信光検知用アダプタを示す斜視図である。
【図２】本発明に係る二連型ＬＣ用通信光検知用アダプタを示すＡ−Ａ線断面図である。
【図３】本発明に係る二連型ＬＣ用通信光検知用アダプタを示すＢ−Ｂ線断面図である。
【図４】距離Ｌと検知感度の関係を示す図である。
【図５】本発明に係る二連型ＬＣ用通信光検知構造を示す斜視図である。
【図６】通信光検知器を示す斜視図であって、斜め下方から見たときの通信光検知器を示す斜視図である。
【発明を実施するための形態】
【００１８】
以下、本発明の好適な実施の形態を添付図面にしたがって説明する。
【００１９】
先ず、本発明の好適な実施の形態に係る二連型ＬＣ用通信光検知用アダプタを説明する。
【００２０】
図１から図３に示すように、本発明の好適な実施の形態に係る二連型ＬＣ用通信光検知用アダプタ１００は、二連型ＬＣコネクタが嵌挿されたときに平行に配置された二つの光伝送路１０１，１０２を構成すると共に、横断面（Ａ−Ａ線断面）で二つの光伝送路１０１，１０２の中心Ｃ，Ｄを相互に結ぶ線分ＣＤを底辺とする二等辺三角形ＣＤＥの頂点Ｅに位置すると共に線分ＣＤに対して垂直方向１０３に開口して形成された光取出孔１０４を有するアダプタ本体１０５と、アダプタ本体１０５と一体的に形成されると共に二連型ＬＣコネクタのフェルール１０６が収容されるスリーブ１０７を保持するスリーブホルダ１０８と、を備えている。
【００２１】
二連型ＬＣ用通信光検知用アダプタ１００は、アダプタ本体１０５の端部に嵌挿される二連型ＬＣコネクタ等を相互に接続し、また後述する通信光検知器が二連型ＬＣ用通信光検知用アダプタ１００に取り付けられているときに光取出孔１０４を通じて漏洩光を受光素子１０９に向けて取り出す機能を有している。
【００２２】
この二連型ＬＣ用通信光検知用アダプタ１００は、二連型ＬＣコネクタ等を相互に接続する二連型ＬＣアダプタに改良を加えたものであり、例えば、光通信関連設備にて使用されているラックパネルに多連的に搭載されて使用されることが多い。
【００２３】
光伝送路１０１，１０２は外径が１２５μｍの石英ガラス製等の光ファイバからなり、フェルール１０６は外径が１．２５ｍｍのジルコニア製等のＬＣフェルールからなり、スリーブ１０７は外径が１．７８ｍｍのジルコニア製等の割スリーブからなり、線分ＣＤの長さ（二つの光伝送路１０１，１０２のピッチ間距離）は６．２５ｍｍである。これらの寸法は、ＬＣコネクタ及びＬＣアダプタの規格に準じている。
【００２４】
光取出孔１０４は、受光素子１０９が漏洩光以外の光を受光して光伝送路の通信状態を正確に確認することができなくなることを防止すべく、受光素子１０９を漏洩光以外の光から遮光するように収容し、また通信光検知器が二連型ＬＣ用通信光検知用アダプタ１００に取り付けられているときに漏洩光を受光素子１０９に向けて取り出す機能を有している。
【００２５】
ここで、漏洩光とは、光伝送路で伝送されている通信光の一部が光伝送路の途中に形成されている光取出部を通じて光伝送路の外部に取り出されてなる光を意味している。
【００２６】
光取出部としては、例えば、特許文献１から特許文献３に記載された光検知用溝や特許文献５に記載された軸ズレ部等の公知の構造を採用することができるが、本明細書では詳細な説明を省略する。
【００２７】
なお、二連型ＬＣ用通信光検知用アダプタ１００は、光取出孔１０４を閉鎖する蓋部材を更に備えていても構わない。これにより、光伝送路の通信状態を確認するとき以外は光取出孔１０４を閉鎖することができ、粉塵等の異物が光取出孔１０４に侵入することを防止することが可能となる。
【００２８】
スリーブホルダ１０８は、横断面で線分ＣＤを基準として光取出孔１０４に向かって３０度超１２０度未満（図２では９０度）、より好ましくは６０度以上９０度以下、最も好ましくは９０度の範囲θに亘って開口して形成された開口部１１０を有している（図２を参照）。これにより、漏洩光を受光素子１０９に向かって集中させることができるため、受光素子１０９で検知される漏洩光の光強度が高くなり、漏洩光を高感度で検知することが可能となる。
【００２９】
また、スリーブホルダ１０８は、内面に形成された光反射層１１１を有していても良い（図２を参照）。
【００３０】
更に、スリーブホルダ１０８は、スリーブ１０７の抜けを防止する爪部１１２を有していることが好ましい（図３を参照）。これにより、スリーブホルダ１０８が開口部１１０を有していても、スリーブ１０７がスリーブホルダ１０８から抜けないようにスリーブ１０７を確実に保持することが可能となる。
【００３１】
ここで、受光素子１０９についても説明しておくと、受光素子１０９は、受光方向１１３に開口された缶体１１４と、缶体１１４に収容された受光部１１５と、を有する缶型フォトダイオードからなる。
【００３２】
缶型フォトダイオードは、受光部１１５が漏洩光に対して透明な封止板１１６により封止されているため、受光部１１５が粉塵や湿気等の影響で損傷を受けることが殆ど無く、また受光部１１５が樹脂等により封止されている通常のフォトダイオードと比較して熱的な影響を受け難いことから、種々のフォトダイオードの中でも最も優れた信頼性を有している。
【００３３】
缶体１１４は、内面に形成された光反射層１１７を有していることが好ましい。これにより、缶体１１４に向けて取り出された漏洩光を受光部１１５に集光することができるため、受光素子１０９で検知される漏洩光の光強度がより高くなり、漏洩光を更に高感度で検知することが可能となる。
【００３４】
受光部１１５は、線分ＣＤとの距離Ｌが２．８ｍｍ以上３．２ｍｍ以下となる位置に配置されることが好ましい。これにより、図４に示すように、最も高い検知感度を基準としたときに検知感度の低下を最大で０．９５倍に抑えることが可能となる。即ち、受光部１１５が線分ＣＤとの距離Ｌが２．８ｍｍ以上３．２ｍｍ以下となる位置に配置されることにより、最も高い検知感度の９５％以上の検知感度を保証することができる。
【００３５】
封止板１１６は、漏洩光以外の光に対して不透明であることが好ましい。これにより、受光部１１５を漏洩光以外の光から遮光し、受光部１１５が漏洩光のみを確実に受光することができるため、光伝送路の通信状態をより正確に確認することが可能となる。
【００３６】
次に、本発明の好適な実施の形態に係る二連型ＬＣ用通信光検知構造を説明する。
【００３７】
図５に示すように、本発明の好適な実施の形態に係る二連型ＬＣ用通信光検知構造５００は、二連型ＬＣ用通信光検知用アダプタ１００と、二連型ＬＣ用通信光検知用アダプタ１００に着脱自在に取り付けられる通信光検知器２００と、を備えている。
【００３８】
図６に示すように、通信光検知器２００は、光取出孔１０４に収容される受光素子１０９が搭載された検知器本体２０１を有している。通信光検知器２００としては、受光素子１０９以外の構成は、従来より知られているものを採用することができるが、受光素子１０９以外の構成についての説明は本発明の主旨から逸れるため、本明細書では詳細な説明を避ける。
【００３９】
これまで説明してきたように、本発明によれば、二連型ＬＣコネクタに対応し、二つの光伝送路１０１，１０２を構成することができ、しかも漏洩光を高感度で検知することが可能な二連型ＬＣ用通信光検知用アダプタ１００及び二連型ＬＣ用通信光検知構造５００を提供することができる。
【実施例】
【００４０】
次に、本発明の具体例を説明する。
【００４１】
スリーブホルダ１０８の開口部１１０の角度を３０度、６０度、９０度、及び１２０度に変更し、検知感度、スリーブ保持性、及びコネクタ接続安定性がどのように変化するのかを観察した。その結果を表１に示す。
【００４２】
【表１】
2015200706.tif 000003
【００４３】
表１から分かるように、開口部１１０の角度が小さくなるほど、スリーブホルダ１０８からスリーブ１０７が抜け難くなり、また二連型ＬＣコネクタを接続したときの安定性が向上するものの、検知感度は低下していく。
【００４４】
これらの結果から、スリーブホルダ１０８は、横断面で線分ＣＤを基準として光取出孔１０４に向かって３０度超１２０度未満、より好ましくは６０度以上９０度以下、最も好ましくは９０度の範囲θに亘って開口して形成された開口部１１０を有していることが望ましいことが分かる。
【符号の説明】
【００４５】
１００  二連型ＬＣ用通信光検知用アダプタ
１０１  光伝送路
１０２  光伝送路
１０３  垂直方向
１０４  光取出孔
１０５  アダプタ本体
１０６  フェルール
１０７  スリーブ
１０８  スリーブホルダ
１０９  受光素子
１１０  開口部
１１１  光反射層
１１２  爪部
１１３  受光方向
１１４  缶体
１１５  受光部
１１６  封止板
１１７  光反射層
２００  通信光検知器
２０１  検知器本体
５００  二連型ＬＣ用通信光検知構造
【図１】
2015200706.tif 000004
【図２】
2015200706.tif 000005
【図３】
2015200706.tif 000006
【図４】
2015200706.tif 000007
【図５】
2015200706.tif 000008
【図６】
2015200706.tif 000009